(57)【要約】【課題】中空の周方向に発生する電流の不連続性を抑制して、電磁波の伝播効率を高める。【解決手段】中空ウェイブガイド１は、第１の接合面１１及び第１の接合面１１に凹設された断面矩形状の第１の溝１２を有する第１の導体部材１０と、第２の接合面２１及び第２の接合面２１に凹設された断面矩形状の第２の溝２２を有する第２の導体部材２０と、を備える。第１の溝１２の幅と第２の溝２２の幅とが互いに等しく、第１の溝１２の深さと第２の溝２２の深さとが互いに等しく、第１及び第２の溝１２，２２の深さは第１及び第２の溝１２，２２の幅の２分の１よりも大きく、第１の溝１２と第２の溝２２とが互いに向き合った状態で第１の接合面１１が第２の接合面２１に突き合わせられ、第１の導体部材１０が第２の導体部材２０に接合されている。【選択図】図１
2019216329.tif 000002
【特許請求の範囲】
【請求項１】
第１の接合面及び前記第１の接合面に凹設された断面矩形状の第１の溝を有する第１の導体部材と、
第２の接合面及び前記第２の接合面に凹設された断面矩形状の第２の溝を有する第２の導体部材と、を備え、
前記第１の溝の幅と前記第２の溝の幅とが互いに等しく、前記第１の溝の深さと前記第２の溝の深さとが互いに等しく、前記第１及び第２の溝の深さは前記第１及び第２の溝の幅の２分の１よりも大きく、前記第１の溝と前記第２の溝とが互いに向き合った状態で前記第１の接合面が前記第２の接合面に突き合わせられ、前記第１の導体部材が前記第２の導体部材に接合されている
中空ウェイブガイド。
【請求項２】
前記第１の導体部材が、前記第１の溝の底に凸設された第１の導電性突出部を有し、
前記第２の導体部材が、前記第２の溝の底のうち前記第１の導電性突出部に対向する位置に凸設された第２の導電性突出部を有する
請求項１に記載の中空ウェイブガイド。
【請求項３】
第１の導体部材の第１の接合面に凹設された断面矩形状の第１の溝の幅と、第２の導体部材の第２の接合面に凹設された断面矩形状の第２の溝の幅とが互いに等しく、前記第１の溝の深さと前記第２の溝の深さとが互いに等しく、前記第１及び第２の溝の深さは前記第１及び第２の溝の幅の２分の１よりも大きく、
前記第１の溝を前記第２の溝に向かい合わせて、前記第１の接合面を前記第２の接合面に突き合わせ、前記第１の導体部材を前記第２の導体部材に接合する
中空ウェイブガイドの製造方法。
【請求項４】
前記第１の導体部材を前記第２の導体部材に接合するに際して、前記第１の溝の底に凸設された第１の導電性突出部と、前記第２の溝の底に凸設された第２の導電性突出部とを互いに対向させる
請求項３に記載の中空ウェイブガイドの製造方法。
【発明の詳細な説明】
【技術分野】
【０００１】
本発明は、中空ウェイブガイド及びその製造方法に関する。
【背景技術】
【０００２】
特許文献１には、小さなスロット（２ａ，４ａ，６ａ）、大きな開口（３ａ）又はスリット（５ａ，７ａ）が穿設された複数枚の導体板（２〜７）を積層することによって製造されたスロットアレイアンテナ（１）が開示されている。このスロットアレイアンテナ（１）の上から４層目の導体板（５）に穿設されたスリット（５ａ）がその上から３層目の導体板（４）を被せられ、その下から５層目の導体板（６）を被せられている。これによりスリット（５ａ）が導体板（５〜６）の積層体の内部の中空となる。電磁波がスリット（５ａ）内を進行すると、スリット（５ａ）からなる中空の周方向に電流が発生する。しかしながら、その電流は４層目の導体板（５）と３層目の導体板（４）との接合界面や４層目の導体板（５）と５層目の導体板（６）との接合界面で不連続的になる。そのため、電磁波の伝播効率が高い。
【先行技術文献】
【特許文献】
【０００３】
【特許文献１】特開２０１４−１７０９８９号公報
【発明の概要】
【発明が解決しようとする課題】
【０００４】
そこで、本発明は、上記事情に鑑みてなされたものであって、中空の周方向に発生する電流の不連続性を抑制して、電磁波の伝播効率を高めることを目的とする。
【課題を解決するための手段】
【０００５】
上記目的を達成するための主たる発明は、第１の接合面及び前記第１の接合面に凹設された断面矩形状の第１の溝を有する第１の導体部材と、第２の接合面及び前記第２の接合面に凹設された断面矩形状の第２の溝を有する第２の導体部材と、を備え、前記第１の溝の幅と前記第２の溝の幅とが互いに等しく、前記第１の溝の深さと前記第２の溝の深さとが互いに等しく、前記第１及び第２の溝の深さは前記第１及び第２の溝の幅の２分の１よりも大きく、前記第１の溝と前記第２の溝とが互いに向き合った状態で前記第１の接合面が前記第２の接合面に突き合わせられ、前記第１の導体部材が前記第２の導体部材に接合されている中空ウェイブガイドである。
【０００６】
本発明の他の特徴については、後述する明細書及び図面の記載により明らかにする。
【発明の効果】
【０００７】
本発明の実施形態によれば、接合面では電流が打ち消し合い、接合面以外の部分では電流の不連続性が生じず、電磁波の伝播効率が高い。
【図面の簡単な説明】
【０００８】
【図１】第１実施形態の中空ウェイブガイドを分解して俯瞰した斜視図である。
【図２】第１実施形態の中空ウェイブガイドの断面図である。
【図３】第１実施形態の中空ウェイブガイド及び比較例の中空ウェイブガイドの透過係数をシミュレーションした結果を示すグラフである。
【図４】比較例の中空ウェイブガイドの断面図である。
【図５】第２実施形態の中空ウェイブガイドを俯瞰した斜視図である。
【図６】第２実施形態の中空ウェイブガイドを下方から見た斜視図である。
【図７】第２実施形態の中空ウェイブガイドを分解して俯瞰した斜視図である。
【図８】第２実施形態の中空ウェイブガイドを分解して下方から見た斜視図である。
【図９】第２実施形態の中空ウェイブガイドの断面図である。
【発明を実施するための形態】
【０００９】
後述する実施の形態の記載から、少なくとも以下の事項が明らかとなる。
【００１０】
第１の接合面及び前記第１の接合面に凹設された断面矩形状の第１の溝を有する第１の導体部材と、第２の接合面及び前記第２の接合面に凹設された断面矩形状の第２の溝を有する第２の導体部材と、を備え、前記第１の溝の幅と前記第２の溝の幅とが互いに等しく、前記第１の溝の深さと前記第２の溝の深さとが互いに等しく、前記第１及び第２の溝の深さは前記第１及び第２の溝の幅の２分の１よりも大きく、前記第１の溝と前記第２の溝とが互いに向き合った状態で前記第１の接合面が前記第２の接合面に突き合わせられ、前記第１の導体部材が前記第２の導体部材に接合されている中空ウェイブガイドが明らかとなる。
【００１１】
また、第１の導体部材の第１の接合面に凹設された断面矩形状の第１の溝の幅と、第２の導体部材の第２の接合面に凹設された断面矩形状の第２の溝の幅とが互いに等しく、前記第１の溝の深さと前記第２の溝の深さとが互いに等しく、前記第１及び第２の溝の深さは前記第１及び第２の溝の幅の２分の１よりも大きく、前記第１の溝を前記第２の溝に向かい合わせて、前記第１の接合面を前記第２の接合面に突き合わせ、前記第１の導体部材を前記第２の導体部材に接合する中空ウェイブガイドの製造方法が明らかとなる。
【００１２】
以上によれば、第１及び第２の溝の深さは第１及び第２の溝の幅の２分の１よりも大きいため、第１及び第２の溝の底が狭壁面となり、第１及び第２の溝の側面が広壁面となる。第１及び第２の溝からなる中空を電磁波が進行すると、電流がその中空の周方向に第１及び第２の導体部材に発生するが、第１の導体部材に発生する電流の向きが第２の導体部材に発生する電流の向きの逆向きになる。従って、接合面では電流が打ち消し合う。それゆえ、接合面が電流の流れに影響を及ぼさない上、接合面以外の部分では電流の不連続性が生じない。よって、電磁波が中空内を伝播しやすい。
【００１３】
前記中空ウェイブガイドにおいて、前記第１の導体部材が、前記第１の溝の底に凸設された第１の導電性突出部を有し、前記第２の導体部材が、前記第２の溝の底のうち前記第１の導電性突出部に対向する位置に凸設された第２の導電性突出部を有する。
前記製造方法において、前記第１の導体部材を前記第２の導体部材に接合するに際して、前記第１の溝の底に凸設された第１の導電性突出部と、前記第２の溝の底に凸設された第２の導電性突出部とを互いに対向させる。
以上により、第１及び第２の溝からなる中空を進行する電磁波の反射が低減される。
【００１４】
＝＝＝実施の形態＝＝＝
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１５】
〔第１の実施の形態〕
図１は、中空ウェイブガイド１の分解斜視図である。
図１に示すように、中空ウェイブガイド１は、第１の接合面１１及び断面矩形状の第１の溝１２を有するソリッドな第１の導体部材１０と、第２の接合面２１及び断面矩形状の第２の溝２２を有するソリッドな第２の導体部材２０とを備える。溝１２が第１の導体部材１０の接合面１１に凹設され、溝２２が第２の導体部材２０の接合面２１に凹設されている。溝１２と溝２２とが互いに向き合った状態で接合面１１が接合面２１に突き合わせられ、第１の導体部材１０がボルト、ナット、ねじ、リベット、ピン等の締結部材によって第２の導体部材２０に接合されている。第１の導体部材１０と第２の導体部材２０との接合は締結部材による締結以外であってもよく、例えば拡散接合又は溶接を適用してもよい。
【００１６】
溝１２の幅ｂが溝２２の幅ｂに等しく、溝１２と溝２２とは幅方向の位置が互いに揃っており、溝１２の内側の側面１３が溝２２の内側の側面２３と面一となっている。従って、溝１２と溝２２からなる断面矩形状の中空が形成されている。
溝１２の深さａは溝２２の深さａに等しい。また、溝１２，２２の深さａは溝１２，２２の幅ｂの２分の１よりも大きい。従って、面一となった側面１３，２３の総幅２ａは溝１２，２２の底１４，２４の幅ｂよりも大きく、面一となった側面１３，２３が広壁面であり、底１４，２４が狭壁面である。
【００１７】
溝１２の底１４には、第１の導電性突出部１５が形成されている。導電性突出部１５は、底１４から接合面１１，２１と面一な中空の中心面に向かって突出している。導電性突出部１５は溝１２の側面１３から反対の側面１３まで溝１２の底１４を横切っている。
【００１８】
溝２２の底２４には、第２の導電性突出部２５が形成されている。導電性突出部２５は、底２４のうち導電性突出部１５に対向する位置から中空の中心面に向かって突出している。導電性突出部２５は溝２２の側面２３から反対の側面２３まで溝２２の底２４を横切っている。導電性突出部１５と導電性突出部２５とは中空の中心面に関して互いに面対称である。以上のような導電性突出部１５，２５によって中空が絞られており、その絞られた部分がアイリスとなる。これにより、中空を進行する電磁波の反射が低減される。なお、複数の導電性突出部１５が底１４に形成され、複数の導電性突出部２５が底２４に形成されてもよい。
【００１９】
電磁波が溝１２，２２からなる中空内を進行すると、その電磁波により図２に示すような電界分布が中空内に発生する。中空内の電界の向きが広壁面に対して垂直となり、中空内の磁界は広壁面に平行に発生し、電界の向きと磁界の向きとが互いに直交する。また、電流が中空の周方向に導体部材１０，２０に発生し、第１の導体部材１０に発生する電流の向きが第２の導体部材２０に発生する電流の向きの逆向きになる。そのため、接合面１１，２１では電流が打ち消し合う。それゆえ、接合面１１，２１が電流の流れに影響を及ぼさない上、接合面１１，２１以外の部分では電流の不連続性が生じない。よって、中空ウェイブガイド１は電磁波の伝播効率が高い。これについてシミュレーションによって検証した。
【００２０】
中空ウェイブガイド１の透過係数を周波数ごとにシミュレーションした結果を図３のグラフの実線で示す。一方、図４に示す中空ウェイブガイド１０１の透過係数を周波数ごとにシミュレーションした結果を図３のグラフの点線で示す。中空ウェイブガイド１０１の導体部材１１０には矩形断面状の溝１１２が形成されており、導体板１２０が溝１１２に被せられて、その導体板１２０が導体部材１１０に接合されている。これにより溝１１２が中空となる。溝１１２からなる中空の断面形状は、溝１２，２２からなる中空の断面形状と合同である。
【００２１】
図３に示すように、６０〜９０Ｈｚの範囲の殆どで、中空ウェイブガイド１の透過係数が中空ウェイブガイド１０１の透過係数よりも高いことが分かる。よって、中空ウェイブガイド１は電磁波を伝播させやすい。
【００２２】
中空ウェイブガイド１の製造方法について説明する。
エンドミル等を用いて第１の導体部材１０の接合面１１を切削加工することによって、その接合面１１に溝１２を形成するとともに、溝１２の底に導電性突出部１５を形成する。同様に、第２の導体部材２０の接合面２１に溝２２を形成するとともに、溝２２の底に導電性突出部２５を形成する。
【００２３】
次に、溝１２を溝２２に向かい合わせるとともに接合面１１を接合面２１に突き合わせ、第１の導体部材１０を第２の導体部材２０に接合する。この際、溝１２と溝２２とを互いに位置合わせして、溝１２の内側の側面１３を溝２２の内側の側面２３と面一にするとともに、導電性突出部１５と導電性突出部２５とを互いに対向させる。
以上により、中空ウェイブガイド１が完成する。
【００２４】
〔第２の実施の形態〕
図５は、並列給電型の中空ウェイブガイド５０を俯瞰した斜視図である。図６は、中空ウェイブガイド５０を下方から見た斜視図である。図７は、中空ウェイブガイド５０を分解して俯瞰した斜視図である。図８は、中空ウェイブガイド５０を分解して下方から見た斜視図である。図９は、中空ウェイブガイド５０の断面図である。
【００２５】
中空ウェイブガイド５０はソリッドな導体部材６０，７０，８０，９０を備える。これら導体部材６０，７０，８０，９０は、導体部材８０，導体部材６０，導体部材７０，導体部材９０の順に並列されている。そして、これら導体部材６０，７０，８０，９０はスタックされた状態で締結部材５１によって締結されている。
【００２６】
導体部材６０，７０の両側面６１，６２，７１，７２が接合面であり、導体部材８０，９０の片側の側面８２，９２が接合面である。導体部材６０の接合面６１と導体部材７０の接合面７１とが互いに突き合わせられ、導体部材６０の接合面６２と導体部材８０の接合面８２とが互いに突き合わせられ、導体部材７０の接合面７２と導体部材９０の接合面９２とが互いに突き合わせられている。導体部材６０と導体部材７０とは接合面６１，７１に関して互いに面対称であり、導体部材８０と導体部材９０とは接合面６１，７１に関して互いに面対称である。
【００２７】
導体部材６０の接合面６１には、断面矩形状の溝６１ａ，６１ｂが凹設されている。溝６１ａの一端部が導体部材６０の下面において開口しており、溝６１ａが一端部から他端部にかけて直線状に延在し、溝６１ａの他端部が溝６１ｂの一端部に通じて、溝６１ｂが一端部から他端部にかけて溝６１ａの直交方向に直線状に延在する。溝６１ａ，６１ｂの深さは溝６１ａ，６１ｂの幅の２分の１よりも大きい。また、溝６１ａと溝６１ｂとの交差部６１ｃは他の部分よりも深く形成されている。
【００２８】
溝６１ｂの底には、複数の導電性突出部６１ｄが凸設されている。導電性突出部６１ｄは、溝６１ｂの底を側面から反対の側面までを横切っている。交差部６１ｃの底には、導電性突出部６１ｅが形成されている。
【００２９】
導体部材７０の接合面７１には、断面矩形状の溝７１ａ，７１ｂが凹設されている。溝７１ｂの底には、複数の導電性突出部７１ｄが凸設されている。溝７１ａと溝７１ｂとの交差部７１ｃの底には、導電性突出部７１ｅが凸設されている。ここで、上述したように、導体部材６０と導体部材７０とは接合面６１，７１に関して互いに面対称であるため、溝７１ａ，７１ｂ及び導電性突出部７１ｄ，７１ｅの詳細な説明を省略する。
【００３０】
溝６１ａと溝７１ａとが互いに向き合って且つ溝６１ｂと溝７１ｂとが互いに向き合って、接合面６１が接合面７１に突き合わせられ、導体部材６０が導体部材７０に接合されている。従って、溝６１ａと溝７１ａからなる断面矩形状の中空が形成され、溝６１ｂと溝７１ｂからなる断面矩形状の中空が形成され、それら中空では電磁波が進行する。溝６１ａ，７１ａの底が狭壁面となり、面一となった溝６１ａ，７１ａの側面が広壁面となる。溝６１ｂ，７１ｂの底及び側面についても同様である。溝６１ａ，７１ａからなる中空が導体部材６０，７０の下面において開口するが、その開口５２がポートとなる。
【００３１】
溝６１ａと溝７１ａからなる中空を電磁波が進行することによって、その中空の周方向の電流が導体部材６０，７０に発生するが、導体部材６０に発生する電流の向きが導体部材７０に発生する電流の向きの逆向きになる。それゆえ、接合面６１，７１では電流が打ち消し合い、接合面６１，７１以外の部分では電流の不連続性が生じない。よって、電磁波の伝播効率が高い。溝６１ｂと溝７１ｂからなる中空についても同様の効果を生じる。
【００３２】
ここで、溝６１ａと溝７１ａのどちらか一方が特許請求の範囲に記載の第１の溝に相当し、他方が特許請求の範囲に記載の第２の溝に相当する。溝６１ｂと溝７１ｂについても同様である。
【００３３】
溝６１ｂと溝７１ｂからなる断面矩形状の中空は導電性突出部６１ｄ，７１ｄによって絞られている。
交差部６１ｃ，７１ｃが成す略直方体状の中空は共振器となる。
【００３４】
導体部材６０の接合面６２には、深さが幅の２分の１よりも大きい断面矩形状の溝６２ａ，６２ｂ，６２ｃが凹設されている。溝６２ａは溝６１ｂに対して平行となって、直線状に延在している。溝６１ｂの他端部の底から溝６２ａの底まで貫通孔６３が穿設されている。貫通孔６３の断面形状は、矩形状であって、且つ、溝６１ｂと溝７１ｂからなる中空の断面形状とほぼ合同である。
【００３５】
溝６２ｂの一端部が溝６２ａの一端部に通じて、その溝６２ｂが一端部から他端部にかけて溝６２ａの直交方向に直線状に延在し、溝６２ｂの他端部が導体部材６０の上面において開口している。溝６２ｃの一端部が溝６２ａの他端部に通じて、その溝６２ｃが一端部から他端部にかけて溝６２ａの直交方向に直線状に延在し、溝６２ｃの他端部が導体部材６０の上面において開口している。
【００３６】
溝６２ａと溝６２ｂとの交差部６２ｄや溝６２ａと溝６２ｃとの交差部６２ｅは他の部分よりも深く形成されている。
【００３７】
溝６２ａの底には、複数の導電性突出部６２ｆが形成されている。導電性突出部６２ｆは、溝６２ａの底を溝６２ａの側面から反対の側面までを横切っている。交差部６２ｄ，６２ｅの底には、導電性突出部６２ｇ，６２ｈが形成されている。
【００３８】
導体部材８０の接合面８２には、深さが幅の２分の１よりも大きい断面矩形状の溝８２ａ，８２ｂ，８２ｃが凹設されている。溝８２ａは導体部材８０の長手方向に対して平行となって、直線状に延在している。溝８２ｂの一端部が溝８２ａの一端部に通じて、その溝８２ｂが一端部から他端部にかけて溝８２ａの直交方向に直線状に延在し、溝８２ｂの他端部が導体部材８０の上面において開口している。溝８２ｃの一端部が溝８２ａの他端部に通じて、その溝８２ｃが一端部から他端部にかけて溝８２ａの直交方向に直線状に延在し、溝８２ｃの他端部が導体部材８０の上面において開口している。
【００３９】
溝８２ａと溝８２ｂとの交差部８２ｄや溝８２ａと溝８２ｃとの交差部８２ｅは他の部分よりも深く形成されている。
【００４０】
溝８２ａの底には、複数の導電性突出部８２ｆが凸設されている。導電性突出部８２ｆは、溝８２ａの底を溝８２ａの側面から反対の側面までを横切っている。交差部８２ｄ，８２ｅの底には、導電性突出部８２ｇ，８２ｈが凸設されている。
【００４１】
溝８２ａの幅が溝６２ａの幅に等しく，溝８２ａの深さが溝６２ａの深さに等しい。溝８２ｂと溝６２ｂについても同様であり、溝８２ｃと溝６２ｃについても同様である。
【００４２】
溝６２ａと溝８２ａとが互いに向き合って、溝６２ｂと溝８２ｂとが互いに向き合って、溝６２ｃと溝８２ｃとが互いに向き合っている。そして、接合面６２が接合面８２に突き合わせられ、導体部材６０が導体部材８０に接合されている。従って、溝６２ａと溝８２ａからなる断面矩形状の中空が形成され、溝８２ｂと溝８２ｂからなる断面矩形状の中空が形成され、溝６２ｃと溝８２ｃからなる断面矩形状の中空が形成される。溝６２ａ，８２ａの底が狭壁面となり、面一となった溝６２ａ，８２ａの側面が広壁面となる。溝６２ｂ，８２ｂの底及び側面についても同様であり、溝６２ｃ，８２ｃの底及び側面についても同様である。各中空では電磁波が進行するが、導体部材６０に発生する電流の向きが導体部材８０に発生する電流の向きの逆向きになる。それゆえ、接合面６２，８２では電流が打ち消し合い、接合面６２，８２以外の部分では電流の不連続性が生じないため、電磁波の伝播効率が高い。
【００４３】
ここで、溝６２ａと溝８２ａのどちらか一方が特許請求の範囲に記載の第１の溝に相当し、他方が特許請求の範囲に記載の第２の溝に相当する。溝６２ｂと溝８２ｂについても同様であり、溝６２ｃと溝８２ｃについても同様である。
【００４４】
溝６２ｂ，８２ｂからなる中空が導体部材６０，８０の上面において開口するが、その開口５３がポートとなる。溝６２ｃ，８２ｃからなる中空が導体部材６０，８０の上面において開口するが、その開口５４がポートとなる。
交差部６２ｄ，８２ｄが成す略直方体状の中空は共振器となる。交差部６２ｅ，８２ｅが成す略直方体状の中空についても同様である。
【００４５】
導体部材７０には、溝７２ａ，７２ｂ，７２ｃ，貫通孔７３及び導電性突出部７２ｆ、７２ｇ，７２ｈが形成されている。導体部材６０と導体部材７０とは接合面６１，７１に関して面対称であるので、溝７２ａ，７２ｂ，７２ｃ，貫通孔７３及び導電性突出部７２ｆ、７２ｇ，７２ｈについての説明を省略する。
【００４６】
導体部材９０には、溝９２ａ，９２ｂ，９２ｃ、導電性突出部９２ｆ，９２ｇ，９２ｈが形成されている。導体部材９０と導体部材８０とは接合面６１，７１に関して面対称であるので、溝９２ａ，９２ｂ，９２ｃ、導電性突出部９２ｆ，９２ｇ，９２ｈについての説明を省略する。
【００４７】
溝７２ａと溝９２ａのどちらか一方が特許請求の範囲に記載の第１の溝に相当し、他方が特許請求の範囲に記載の第２の溝に相当する。溝７２ｂと溝９２ｂについても同様であり、溝７２ｃと溝９２ｃについても同様である。
溝７２ｂ，９２ｂからなる中空が導体部材７０，９０の上面において開口するが、その開口５５がポートとなる。また、溝７２ｃ，９２ｃからなる中空が導体部材７０，９０の上面において開口するが、その開口５６がポートとなる。
【００４８】
中空ウェイブガイド５０の製造方法について説明する。
導体部材６０を切削加工することによって、導体部材６０に溝６１ａ，６１ｂ，６２ａ，６２ｂ，６２ｃ，導電性突出部６１ｄ，６１ｅ，６２ｆ，６２ｇ，６２ｈ及び貫通孔６３を形成する。導体部材７０，８０，９０も同様に切削加工する。
次に、導体部材８０，導体部材６０，導体部材７０，導体部材９０の順にスタックする。この際、溝６２ａと溝８２ａとを互いに、溝６２ｂと溝８２ｂとを互いに、溝６２ｃと溝８２ｃとを互いに向かい合わせて、導体部材６０の接合面６２と導体部材８０の接合面８２とを互いに突き合わせる。導体部材６０の接合面６１と導体部材７０の接合面７１との突き合わせの際にも、溝６１ａと溝７１ａとの相互の位置合わせと、溝６１ｂと溝７１ｂとの相互の位置合わせを行う。導体部材７０の接合面７２と導体部材９０の接合面９２との突き合わせの際にも、溝７２ａと溝９２ａとの相互の位置合わせと、溝７２ｂと溝９２ｂとの相互の位置合わせと、溝７２ｃと溝９２ｃとの相互の位置合わせを行う。
次に、スタックした導体部材８０，導体部材６０，導体部材７０，導体部材９０を締結部材５１によって接合する。
以上により、中空ウェイブガイド５０が完成する。
【符号の説明】
【００４９】
１…中空ウェイブガイド
１０…第１の導体部材
１１…第１の接合面
１２…第１の溝
１５…第１の導電性突出部
２０…第２の導体部材
２１…第２の接合面
２２…第２の溝
２５…第２の導電性突出部
６０，７０，８０，９０…導体部材
６１，６２，７１，７２，８２，９２…接合面
６１ａ，６１ｂ，６２ａ，６２ｂ，６２ｃ…溝
７１ａ，７１ｂ，７２ａ，７２ｂ，７２ｃ…溝
８２ａ，８２ｂ，８２ｃ…溝
９２ａ，９２ｂ，９２ｃ…溝
６１ｄ，６２ｆ，７１ｄ，７２ｆ，８２ｆ，９２ｆ…導電性突出部
【図１】
2019216329.tif 000003
【図２】
2019216329.tif 000004
【図３】
2019216329.tif 000005
【図４】
2019216329.tif 000006
【図５】
2019216329.tif 000007
【図６】
2019216329.tif 000008
【図７】
2019216329.tif 000009
【図８】
2019216329.tif 000010
【図９】
2019216329.tif 000011